【手続補正書】
【提出日】平成16年9月17日(2004.9.17)
【手続補正１】
【補正対象書類名】特許請求の範囲
【補正対象項目名】全文
【補正方法】変更
【補正の内容】
【特許請求の範囲】
【請求項１】
印刷媒体を被覆するための印刷媒体被覆装置であって、
第１のウェブ供給部と、
第１のウェブ巻取り部と、
第２のウェブ供給部と、
第２のウェブ巻取り部と、
通過する印刷媒体通路を画定する融着器とを備え、
前記第１のウェブ供給部および前記第１のウェブ巻取り部は、前記印刷媒体通路の第１の側に位置し、前記第２のウェブ供給部および前記第２のウェブ巻取り部は、前記第１の側とは反対の前記印刷媒体通路の第２の側に位置するとともに、
前記融着器を通る前記印刷媒体通路に沿って、前記第１のウェブ供給部から前記第１のウェブ巻取り部まで走行する第１の被覆材料ウェブと、
前記融着器を通る前記印刷媒体通路に沿って、前記第２のウェブ供給部から前記第２のウェブ巻取り部まで走行する第２の被覆材料ウェブと、
前記印刷媒体通路の前記第１の側において前記融着器から下流側に前記印刷媒体通路に沿って配置された、前記印刷媒体通路と直接隣接した第１の剥離棒と、
前記印刷媒体通路の前記第２の側において前記融着器から下流側かつ前記第１の剥離棒から下流側に前記印刷媒体通路に沿って配置された、前記印刷媒体通路と直接隣接した第２の剥離棒とをさらに備えることを特徴とする印刷媒体被覆装置。
【請求項２】
前記融着器の下流側で前記媒体通路の続きを画定するウェブ冷却器をさらに備え、前記第１、第2の被覆材料ウェブはそれぞれ対応する第1、第2のウェブ供給部から前記融着器と前記冷却器とを通る前記媒体通路に沿って対応するそれぞれの前記第1、第2のウェブ巻取り部まで走行することを特徴とする請求項１に記載の印刷媒体被覆装置。
【請求項３】
前記第１のウェブ巻取り部、前記第１の剥離棒および前記融着器は、前記第１の被覆材料ウェブが前記第１のウェブ巻取り部までの途中で前記第１の剥離棒を周って曲がるように互いに位置し、
前記第２のウェブ巻取り部、前記第２の剥離棒および前記融着器は、前記第２の被覆材料ウェブが前記第２のウェブ巻取り部までの途中で前記第２の剥離棒を周って曲がるように互いに位置することを特徴とする請求項１に記載の印刷媒体被覆装置。
【請求項４】
前記融着器は融着器ニップを形成するように互いに結合する一対のローラを有し、該融着器ニップが前記融着器を通る前記媒体通路を画定することを特徴とする請求項１に記載の印刷媒体被覆装置。
【請求項５】
前記冷却器は冷却気ニップを形成するように互いに結合する一対のローラを有し、該冷却器ニップが前記冷却器を通る前記媒体通路を画定し、少なくとも一方の前記ローラが冷却されていることを特徴とする請求項２に記載の印刷媒体被覆装置。
【請求項６】
印刷媒体を被覆するための印刷媒体被覆装置であって、
フレームと、
印刷媒体通路の第１の側に近接して前記フレームによって回転可能に支持される第１のウェブ供給スプールと、
第１のウェブ巻取りスプールであって、前記第１のウェブ供給スプールで始まり、該第１のウェブ巻取りスプールで終わる第１のウェブ通路に沿って、前記第１のウェブ供給スプールの下流に前記印刷媒体通路の前記第１の側に近接して前記フレームによって回転可能に支持される、第１のウェブ巻取りスプールと、
前記第１の側とは反対の前記印刷媒体通路の第２の側に近接して前記フレームによって回転可能に支持される第２のウェブ供給スプールと、
第２のウェブ巻取りスプールであって、前記第２のウェブ供給スプールで始まり、該第２のウェブ巻取りスプールで終わる第２のウェブ通路に沿って、前記第２のウェブ供給スプールから下流側に前記印刷媒体通路の前記第２の側に近接して前記フレームによって回転可能に支持される、第２のウェブ巻取りスプールと、
前記媒体通路、前記第１のウェブ供給スプールと前記第１のウェブ巻取りスプールとの間の前記第１のウェブ通路、および前記第２のウェブ供給スプールと前記第２のウェブ巻取りスプールとの間の前記第２のウェブ通路に沿って配置された、前記フレームによって支持される融着器と、
前記第１のウェブ巻取りスプールおよび前記第２のウェブ巻取りスプールを駆動するモータとを備え、
前記媒体通路、前記第１のウェブ通路および前記２のウェブ通路は、前記融着器を通って互いに符合するとともに、
前記融着器から下流側において前記媒体通路に沿って配置され、前記第１のウェブ通路に突出し、かつ該第１のウェブ通路を横断して延在する、前記フレームによって支持される第１の剥離棒と、
前記融着器から下流側において前記印刷媒体通路に沿って配置され、前記第２のウェブ通路に突出し、かつ該第２のウェブ通路を横断して延在する、前記フレームによって支持される第２の剥離棒とをさらに備え、
前記媒体通路、前記第１のウェブ通路および前記第２のウェブ通路は、前記融着器から前記剥離棒の少なくとも１つまで互いに符合していることを特徴とする印刷媒体被覆装置。
【請求項７】
印刷媒体を被覆するための装置であって、
フレームと、
印刷媒体通路の第１の側に近接して前記フレームによって回転可能に支持される第１のウェブ供給スプールと、
前記印刷媒体通路の前記第１の側に近接して前記フレームによって回転可能に支持される第１のウェブ巻取りスプールと、
前記第１の側とは反対の前記印刷媒体通路の第２の側に近接して前記フレームによって回転可能に支持される第２のウェブ供給スプールと、
前記印刷媒体通路の前記第２の側に近接して前記フレームによって回転可能に支持される第２のウェブ巻取りスプールと、
前記媒体通路に沿って配置され、前記フレームによって支持される融着器であって、融着器ニップを形成するように互いに結合する一対のローラを有し、該融着器ニップが前記融着器を通る前記媒体通路を画定する融着器と、
前記第１のウェブ巻取りスプール、前記第２のウェブ巻取りスプールおよび少なくとも一つの前記ローラを駆動するモータと、
前記融着器から下流側において前記媒体通路に沿って、かつ前記媒体通路の互いに反対の側にそれぞれ配置される第1、第2の剥離棒であって、第1の剥離棒は第2の剥離棒より前記媒体通路の下流側にあり、第1、第2の剥離棒はそれぞれ前記媒体通路に突出して該媒体通路が第1、第2の剥離棒の周りで曲がるようにする第1、第2の剥離棒と、
を備えることを特徴とする印刷媒体被覆装置。
【請求項８】
印刷媒体シートと、
前記印刷媒体シートに面する被覆フィルムと該被覆フィルムを運ぶ担体とを備え、前記印刷媒体シート一方の側に配置される第1の被覆材料ウェブと、
前記印刷媒体シートに面する被覆フィルムと該被覆フィルムを運ぶ担体とを備え、前記印刷媒体シートの他方の側に配置される第２の被覆材料ウェブと、
融着器と、
前記印刷媒体シート一方の側に配置される第1の剥離棒と、
前記印刷媒体シート他方の側に配置される第２の剥離棒と、
前記融着器と前記第1、第2の剥離棒間とを通る印刷媒体通路とを備え、
前記第1の剥離棒は前記融着器から下流側で前記印刷媒体通路に配置され、前記第２の剥離棒は前記第1の剥離棒から下流側で前記印刷媒体通路に配置され、前記第1の剥離棒は前記第1の被覆材料ウェブの前記担体に結合し、前記第２の剥離棒は前記第２の被覆材料ウェブの前記担体に結合するとともに、前記第1、第2の剥離棒はそれぞれ前記印刷媒体通路に突出して該印刷媒体通路が前記第1の剥離棒の周りで曲がり、次いで前記第2の剥離棒の周りで曲がることを特徴とする印刷媒体被覆装置。
【請求項９】
印刷媒体を被覆するための印刷媒体被覆装置であって、
第１のウェブ供給部と、
第１のウェブ巻取り部と、
第２のウェブ供給部と、
第２のウェブ巻取り部と、
通過する印刷媒体通路を画定する融着器とを備え、
前記第１のウェブ供給部および前記第１のウェブ巻取り部は、前記印刷媒体通路の第１の側に位置し、前記第２のウェブ供給部および前記第２のウェブ巻取り部は、前記第１の側とは反対の前記印刷媒体通路の第２の側に位置するとともに、
前記融着器を通る前記印刷媒体通路に沿って、前記第１のウェブ供給部から前記第１のウェブ巻取り部まで走行する第１の被覆材料ウェブと、
前記融着器を通る前記印刷媒体通路に沿って、前記第２のウェブ供給部から前記第２のウェブ巻取り部まで走行する第２の被覆材料ウェブと、
前記印刷媒体通路の前記第１の側において前記融着器から下流側に前記印刷媒体通路に沿って配置された、前記印刷媒体通路と直接隣接した第１の剥離棒と、
前記印刷媒体通路の前記第２の側において前記融着器から下流側かつ前記第１の剥離棒から下流側に前記印刷媒体通路に沿って配置された、前記印刷媒体通路と直接隣接した第２の剥離棒とをさらに備え、
前記第１、第２の剥離棒のそれぞれは、前記印刷媒体通路を横断して延在する剛性のある棒を含み、該棒は、前記各ウェブ通路に突出する支承面、前記印刷媒体通路の面に実質的に垂直に向けられた下流側面、および該下流側面から角度をなして離れるように延在する上流側面を有し、前記上流側および前記下流側面は、前記支承面において分岐することを特徴とする印刷媒体被覆装置。
【請求項１０】
印刷媒体を被覆するための印刷媒体被覆装置であって、
フレームと、
印刷媒体通路の第１の側に近接して前記フレームによって回転可能に支持される第１のウェブ供給スプールと、
第１のウェブ巻取りスプールであって、前記第１のウェブ供給スプールで始まり、該第１のウェブ巻取りスプールで終わる第１のウェブ通路に沿って、前記第１のウェブ供給スプールの下流に前記印刷媒体通路の前記第１の側に近接して前記フレームによって回転可能に支持される、第１のウェブ巻取りスプールと、
前記第１の側とは反対の前記印刷媒体通路の第２の側に近接して前記フレームによって回転可能に支持される第２のウェブ供給スプールと、
第２のウェブ巻取りスプールであって、前記第２のウェブ供給スプールで始まり、該第２のウェブ巻取りスプールで終わる第２のウェブ通路に沿って、前記第２のウェブ供給スプールから下流側に前記印刷媒体通路の前記第２の側に近接して前記フレームによって回転可能に支持される、第２のウェブ巻取りスプールと、
前記媒体通路、前記第１のウェブ供給スプールと前記第１のウェブ巻取りスプールとの間の前記第１のウェブ通路、および前記第２のウェブ供給スプールと前記第２のウェブ巻取りスプールとの間の前記第２のウェブ通路に沿って配置された、前記フレームによって支持される融着器と、
前記第１のウェブ巻取りスプールおよび前記第２のウェブ巻取りスプールを駆動するモータとを備え、
前記媒体通路、前記第１のウェブ通路および前記２のウェブ通路は、前記融着器を通って互いに符合するとともに、
前記融着器から下流側において前記媒体通路に沿って配置され、前記第１のウェブ通路に突出し、かつ該第１のウェブ通路を横断して延在する、前記フレームによって支持される第１の剥離棒と、
前記融着器から下流側において前記印刷媒体通路に沿って配置され、前記第２のウェブ通路に突出し、かつ該第２のウェブ通路を横断して延在する、前記フレームによって支持される第２の剥離棒とをさらに備え、
前記媒体通路、前記第１のウェブ通路および前記第２のウェブ通路は、前記融着器から前記剥離棒の少なくとも１つまで互いに符合しており、
前記第１、第２の剥離棒のそれぞれは、前記印刷媒体通路を横断して延在する剛性のある棒を含み、該棒は、前記各ウェブ通路に突出する支承面、前記印刷媒体通路の面に実質的に垂直に向けられた下流側面、および該下流側面から角度をなして離れるように延在する上流側面を有し、前記上流側および前記下流側面は、前記支承面において分岐することを特徴とする印刷媒体被覆装置。
【手続補正２】
【補正対象書類名】明細書
【補正対象項目名】発明の名称
【補正方法】変更
【補正の内容】
【発明の名称】印刷媒体被覆装置
【手続補正３】
【補正対象書類名】明細書
【補正対象項目名】０００８
【補正方法】変更
【補正の内容】
【０００８】
本発明の一実施形態は、第１および第２のウェブ供給部、第１および第２のウェブ巻取り部、およびそこを通る媒体通路を画定する融着器を有する印刷媒体被覆装置に関する。第１のウェブ供給部および第１のウェブ巻取り部は、媒体通路の一方の側に配置され、第２のウェブ供給部および第２のウェブ巻取り部は、第１のウェブ供給部および第１のウェブ巻取り部とは反対側の媒体通路の他方の側に位置する。第１の被覆材料ウェブは、融着器を通る媒体通路に沿って、第１のウェブ供給部から第１のウェブ巻取り部まで走行し、第２の被覆材料ウェブは、融着器を通る媒体通路に沿って、第２のウェブ供給部から第２のウェブ巻取り部まで走行する。第１の剥離棒は、媒体通路の第１の側で融着器から下流側において、印刷媒体通路に直接隣接して位置する。第２の剥離棒は、融着器から下流側および第１の剥離棒から下流側において、印刷媒体通路に直接隣接して位置する。